(57)【要約】【課題】コールエージェントの収容端末を別のコールエージェントに正確に移設させる端末収容切替システム及び方法を提供する。【解決手段】本発明は、対向端末の間で呼制御を行い通信する複数の端末を収容する１又は複数の第１の呼制御仲介装置と、呼制御仲介装置の可変アドレスを端末に対して与える可変アドレス設定手段とを備え、各第１の呼制御仲介装置は、保持している各収容端末の加入者情報を、切替先の第２の呼制御仲介装置に与えて移設させ、メッセージ転送手段が、加入者情報の移設後、各第１の呼制御仲介装置宛又は各第２の呼制御仲介装置宛の呼制御メッセージを、各第２の呼制御仲介装置宛又は各第１の呼制御仲介装置宛に変換して転送し、可変アドレス設定手段が各収容端末に対して割り当てた呼制御仲介装置の可変アドレスを、第１の呼制御仲介装置から第２の呼制御仲介装置に変更することを特徴とする。【選択図】      図１
2010041088.tif 000002
【特許請求の範囲】
【請求項１】
対向端末の間で呼制御を行い通信する複数の端末と、
上記端末間で送受信される呼制御メッセージの授受を仲介する呼制御仲介装置を割り当て、その呼制御仲介装置の可変アドレスを上記端末に対して与える可変アドレス設定手段と、
上記可変アドレス設定手段の設定を受けて、複数の上記端末を収容する１又は複数の第１の呼制御仲介装置とを備え、
上記各第１の呼制御仲介装置の収容する各収容端末を、１又は複数の第２の呼制御仲介装置に収容させる端末収容切替システムにおいて、
上記各第１の呼制御仲介装置は、保持している上記各収容端末の加入者情報を、切替先の上記第２の呼制御仲介装置に与えて移設させる加入者情報移設手段を備え、
上記加入者情報の移設後、上記各第１の呼制御仲介装置宛又は上記各第２の呼制御仲介装置宛の呼制御メッセージを、上記各第２の呼制御仲介装置宛又は上記各第１の呼制御仲介装置宛に変換して転送するメッセージ転送手段を有し、
上記可変アドレス設定手段は、上記各収容端末に対して割り当てた呼制御仲介装置の可変アドレスを、上記第１の呼制御仲介装置の可変アドレスから上記第２の呼制御仲介装置の可変アドレスに変更する可変アドレス変更部を備える
ことを特徴とする端末収容切替システム。
【請求項２】
上記メッセージ転送手段が、物理的に独立した専用の転送装置からなるものであって、上記各第１の呼制御仲介装置に代えてネットワーク上に設置されるものであることを特徴とする請求項１に記載の端末収容切替システム。
【請求項３】
上記メッセージ転送手段が、上記各第１の呼制御仲介装置又は上記各第２の呼制御仲介装置のオペレーションシステムに装備されるＩＰフォワーディング機能を利用したものであることを特徴とする請求項１に記載の端末収容切替システム。
【請求項４】
対向端末の間で呼制御を行い通信する複数の端末と、
上記端末間で送受信される呼制御メッセージの授受を仲介する呼制御仲介装置を割り当て、その呼制御仲介装置の可変アドレスを上記端末に対して与える可変アドレス設定手段と、
上記可変アドレス設定手段の設定を受けて、複数の上記端末を収容する１又は複数の第１の呼制御仲介装置と、
メッセージ転送手段とを備え、
上記各第１の呼制御仲介装置の収容する各収容端末を、１又は複数の第２の呼制御仲介装置に収容させる端末収容切替方法において、
上記各第１の呼制御仲介装置が、保持している上記各収容端末の加入者情報を、切替先の上記第２の呼制御仲介装置に与えて移設させ、
上記メッセージ転送手段が、上記加入者情報の移設後、上記各第１の呼制御仲介装置宛又は上記各第２の呼制御仲介装置宛の呼制御メッセージを、上記各第２の呼制御仲介装置宛又は上記各第１の呼制御仲介装置宛に変換して転送し、
上記可変アドレス設定手段が、上記各収容端末に対して割り当てた呼制御仲介装置の可変アドレスを、上記第１の呼制御仲介装置の可変アドレスから上記第２の呼制御仲介装置の可変アドレスに変更する
ことを特徴とする端末収容切替方法。
【発明の詳細な説明】
【技術分野】
【０００１】
本発明は、端末収容切替システム及び方法に関し、例えば、多数のＶｏＩＰ（Voice  Over  IP）ゲートウェイを収容するコールエージェント（ＣＡ：Call  Agent）を切り替える切替システム及び方法に適用し得るものである。
【背景技術】
【０００２】
近年のＶｏＩＰ通信システムの普及により、ＶｏＩＰの利用が増大しているため、ＶｏＩＰゲートウェイを収容するコールエージェントについては、より高い収容能力や処理能力を兼ね備えた新しいコールエージェントへの交換が必要となる。
【０００３】
その場合、音声通信はリアルタイム性が求められるため、通話中の呼を中断することは望ましくなく、またコールエージェントの交換中でも呼の開始や終了の要求があり、これに応答することが必要となる。
【０００４】
また、交換前のコールエージェントが保持している呼情報や加入者情報等を、新しいコールエージェントに正確に移行することが必要となる。従って、無停止でコールエージェントを交換することが望まれる。
【０００５】
特許文献１には、上記のようなコールエージェントへの交換処理に関する技術が記載されており、高い通信品質及び信頼性を提供するものであり有効な技術である。
【０００６】
【特許文献１】特開２００７−１２４２３１号公報
【発明の開示】
【発明が解決しようとする課題】
【０００７】
ところで、従来のＶｏＩＰ通信システムでは必要なかったが、近年では加入者数の増大によってＣＡに収容するＶｏＩＰゲートウェイの数がＣＡの加入者収容能力を越えることが起こり得る等の理由で、例えば、多数のＶｏＩＰゲートウェイを、より加入者収容能力の大きなＣＡに収容する等、ＣＡにおける加入者の収容替えの問題が生じている。
【０００８】
周知のように、ＩＰ電話などのＶｏＩＰ通信はリアルタイム通信であり、各加入者が各自の都合に基づいて任意のタイミングでＶｏＩＰ通信を開始、終了するため、基本的には２４時間３６５日、無停止で提供することの必要なサービスであるといえる。したがって、例えば、前記収容替えに際して呼制御が実行できなくなりＶｏＩＰ通信が行えないと、著しい通信品質（サービス品質）の低下または通信の信頼性の低下として膨大な数の加入者に認識される。
【０００９】
ＤＨＣＰサーバを用いるタイプのＶｏＩＰ通信システム１０の構成は図１１および図１２に示すものとなる。図１１はＣＡが１つだけしか存在しない場合を示し、図１２は前記収容替えにより、ＶｏＩＰゲートウェイ１３を収容しなくなるＣＡ１１と、ＶｏＩＰゲートウェイ１３を収容するようになるＣＡ１５の２つが存在する場合を示している。
【００１０】
図１２において、当該ＶｏＩＰ通信システム１０では、ＶｏＩＰゲートウェイ１３は前記収容替え以前にＤＨＣＰサーバ１２からコールエージェントのＩＰアドレスとしてＣＡ１１のＩＰアドレスの設定を受けているから、前記収容替えを行うときには、ＤＨＣＰサーバ１２が各ＶｏＩＰゲートウエイ（その１つが、１３）に設定するＣＡのＩＰアドレス（ここでは、Ｉ１１とする）を別なＩＰアドレス（ここでは、Ｉ１５とする）変更しておくことになる。
【００１１】
ところが、ＶｏＩＰゲートウェイ１３は通常のＤＨＣＰの手順にしたがって電源投入時（起動時）にＤＨＣＰサーバ１２に対して設定の要求を送信するため、ＤＨＣＰサーバ１２がＶｏＩＰゲートウエイ（例えば、１３）に設定するコールエージェントのＩＰアドレスは、この設定の要求が送信されたタイミングで各ＶｏＩＰゲートウェイに設定される。
【００１２】
電源投入のタイミングはＶｏＩＰゲートウェイごとにバラバラなので、ＤＨＣＰサーバ１２への設定でコールエージェントのＩＰアドレスをＩ１１からＩ１５に変更しても、ＶｏＩＰゲートウェイは一斉に収容先のＣＡを変更できるわけではない。このため、最初のＶｏＩＰゲートウェイに新たなコールエージェントのＩＰアドレスを設定してから、すべてのＶｏＩＰゲートウェイに新たなコールエージェントのＩＰアドレスが設定されるまでの過渡期には、ＶｏＩＰゲートウェイ間の発着信が行えない可能性が高まる。
【００１３】
これを解決するための方法として、次の方法（Ｍ１）、（Ｍ２）が考えられる。
【００１４】
（Ｍ１）  ＤＨＣＰのリースタイムを極めて短い時間（例えば、数分程度）に設定する。
【００１５】
（Ｍ２）  ネットワーク経由の遠隔操作で各ＶｏＩＰゲートウェイを再起動させる。
【００１６】
しかしながら、方法（Ｍ１）では、現在のところ２４時間程度に設定されているリースタイムが極めて短くなるため、ＤＨＣＰの手順にしたがって送受されるパケットのトラフィックが急増してネットワークの帯域を消費するとともに、ＤＨＣＰサーバ１２の処理能力に過大な負荷がかかる。また、リースタイムを変更するためにＤＨＣＰサーバ１２に対する設定変更が複数回必要になる。
【００１７】
通常、ＶｏＩＰ通信システム１０が構築される環境は、例えば、ルータなどの伝送制御レベルのノードまで含めると、分散制御を主体とするマルチベンダ環境であり、現に運用されている大規模なシステムにおいて、このようなトラフィックの急増、ＤＨＣＰサーバの負荷の増大、複数回の設定変更などを実行したとき、どのような影響が出るかを正確に予測することは難しく、予期せぬ問題が発生する可能性は高い。
【００１８】
また、前記方法（Ｍ２）は、遠隔操作を行ってＶｏＩＰゲートウエイ（例えば、１３）の再起動を試みるものであるが、その時点のＶｏＩＰゲートウェイの状況（例えば、電源を落とした状態で長期間、放置されている等）によっては再起動できないこともあるし、通常、遠隔操作は保守者などが、手作業で行うことになるため、その作業負担も大きい。
【００１９】
ほぼ一斉に全ＶｏＩＰゲートウェイの再起動を行えたとしても、その場合、前記ＤＨＣＰの手順にしたがって送受されるパケットのトラフィックが全ＶｏＩＰゲートウェイ分、ほぼ一斉に発生することになり、ＤＨＣＰサーバ１２の処理能力にかかる負荷や、トラフィックの急増の問題が著しい。あるいは、再起動できなかったＶｏＩＰゲートウェイが大量に発生した場合、それにどのように対応するかという問題も残り、実現性が低い。
【００２０】
本発明は、特許文献１の記載技術に関連し、高い通信品質及び信頼性を提供するものである。
【課題を解決するための手段】
【００２１】
かかる課題を解決するために、第１の本発明の端末収容切替システムは、対向端末の間で呼制御を行い通信する複数の端末と、端末間で送受信される呼制御メッセージの授受を仲介する呼制御仲介装置を割り当て、その呼制御仲介装置の可変アドレスを端末に対して与える可変アドレス設定手段と、可変アドレス設定手段の設定を受けて、複数の端末を収容する１又は複数の第１の呼制御仲介装置とを備え、各第１の呼制御仲介装置の収容する各収容端末を、１又は複数の第２の呼制御仲介装置に収容させる端末収容切替システムにおいて、（１）各第１の呼制御仲介装置は、保持している各収容端末の加入者情報を、切替先の第２の呼制御仲介装置に与えて移設させる加入者情報移設手段を備え、（２）加入者情報の移設後、各第１の呼制御仲介装置宛又は各第２の呼制御仲介装置宛の呼制御メッセージを、各第２の呼制御仲介装置宛又は各第１の呼制御仲介装置宛に変換して転送するメッセージ転送手段を有し、（３）可変アドレス設定手段は、各収容端末に対して割り当てた呼制御仲介装置の可変アドレスを、第１の呼制御仲介装置の可変アドレスから第２の呼制御仲介装置の可変アドレスに変更する可変アドレス変更部を備えることを特徴とする。
【００２２】
第２の本発明の端末収容切替方法は、対向端末の間で呼制御を行い通信する複数の端末と、端末間で送受信される呼制御メッセージの授受を仲介する呼制御仲介装置を割り当て、その呼制御仲介装置の可変アドレスを端末に対して与える可変アドレス設定手段と、可変アドレス設定手段の設定を受けて、複数の端末を収容する１又は複数の第１の呼制御仲介装置と、メッセージ転送手段とを備え、各第１の呼制御仲介装置の収容する各収容端末を、１又は複数の第２の呼制御仲介装置に収容させる端末収容切替方法において、（１）各第１の呼制御仲介装置が、保持している各収容端末の加入者情報を、切替先の上記第２の呼制御仲介装置に与えて移設させ、（２）メッセージ転送手段が、加入者情報の移設後、各第１の呼制御仲介装置宛又は各第２の呼制御仲介装置宛の呼制御メッセージを、各第２の呼制御仲介装置宛又は各第１の呼制御仲介装置宛に変換して転送し、（３）可変アドレス設定手段が、各収容端末に対して割り当てた呼制御仲介装置の可変アドレスを、第１の呼制御仲介装置の可変アドレスから上記第２の呼制御仲介装置の可変アドレスに変更することを特徴とする。
【発明の効果】
【００２３】
本発明によれば、切替前のコールエージェントが保持する呼情報や加入者情報などを正確に移行させつつ、切替中でも正しく呼制御ができる。
【発明を実施するための最良の形態】
【００２４】
（Ａ）第１の実施形態
以下では、本発明の端末収容切替システム及び方法の第１の実施形態について、図面を参照しながら詳細に説明する。
【００２５】
第１の実施形態は、ＶｏＩＰ通信システムにおけるコールエージェントを別のコールエージェントに交換する切替システムに、本発明を適用する場合の実施形態を例示する。
【００２６】
（Ａ−１）第１の実施形態の構成
図２は、第１の実施形態ＶｏＩＰ通信システムの全体構成を示す全体構成図である。
【００２７】
図２において、ＶｏＩＰ通信システム２０は、ネットワーク２１に接続する、交換対象である旧いコールエージェント２２、新しいコールエージェント２３、フォワーディング装置２４、ＤＨＣＰサーバ２５、ＶｏＩＰゲートウェイ２６及び２７、一般電話機２８及び２９を少なくとも有して構成される。
【００２８】
このうちネットワーク２１はＯＳＩ参照モデルのネットワーク層でＩＰプロトコルが用いられるネットワークである。特定の通信事業者が運営するＩＰ網などであってもよく、インターネットなどであってもよい。当該ネットワーク２１内には図示しない多数のルータが存在し、ネットワーク層でＩＰパケットの中継を行っている。
【００２９】
コールエージェント２２は、交換対象のコールエージェントである。コールエージェント２２の呼制御に関する機能としては、既存のコールエージェントの機能と同様に、加入者情報ＳＤを保持しており、ＶｏＩＰゲートウェイ間の呼制御メッセージの中継処理や、ＶｏＩＰ通信に必要な各種制御や管理を行う。
【００３０】
ここで、加入者情報ＳＤは、ユーザＵ１及びＵ２の一般電話機２８及び２９の電話番号や、各一般電話機２８及び２９を収容するＶｏＩＰゲートウェイ２６及び２７のＩＰアドレスや、これらの電話番号とＩＰアドレスとの対応関係も含む情報である。
【００３１】
コールエージェント２３は、新設するコールエージェントである。コールエージェント２３の機能としては、コールエージェント２２と同様の既存のものを適用することができる。
【００３２】
フォワーディング装置２４は、ネットワーク２１から受信したパケットの送信先ＩＰアドレスを、予め設定した別のＩＰアドレスに変換して転送する転送装置である。
【００３３】
また、フォワーディング装置２４は、ＤＨＣＰサーバ２５におけるコールエージェントのＩＰアドレスを、コールエージェント２２のＩＰアドレスＩ２２からコールエージェント２３のＩＰアドレスＩ２３に設定変更する前に、交換対象であるコールエージェント２２に設置する。そして、コールエージェント２２宛のパケットのＩＰアドレスを、フォワーディング装置２４が新設するコールエージェント２３のＩＰアドレスに変換して転送するものである。
【００３４】
これにより、フォワーディング装置２４は、コールエージェント２２宛のパケットをコールエージェント２３に転送することができる。
【００３５】
また、フォワーディング装置２４は、ＤＨＣＰサーバ２５でのコールエージェントのＩＰアドレスの設定変更前に、交換対象のコールエージェント２２に設置されるので、ＤＨＣＰサーバ２５がＶｏＩＰゲートウェイ２６及び２７に対するコールエージェントのＩＰアドレスを払い出す前に（ＩＰアドレスの再取得前）に、新設のコールエージェント２３にパケットを転送することができる。
【００３６】
なお、フォワーディング装置２４としては、例えば、ＵＮＩＸ（登録商標）やＬｉｎｕｘ（登録商標）等の標準搭載されているＩＰパケットフォワーディング機能や、物理的に独立したＩＰパケットフォワーディング装置などを適用できる。
【００３７】
第１の実施形態では、物理的に独立したＩＰフォワーディング装置を用いる場合を例示する。
【００３８】
ＤＨＣＰサーバ２５は、ＤＨＣＰクライアントからの要求に応じて、当該ＤＨＣＰクライアントを搭載した通信装置にＴＣＰ／ＩＰ関連の基本的なコンフィグレーション情報（例えば、デフォルトゲートウェイ、ＤＮＳサーバのＩＰアドレス、その通信装置に割り当てるＩＰアドレス等）を設定するものである。ＤＨＣＰクライアントは、一般に、その通信装置に電源が投入され、その通信装置のＯＳが起動するときに、ＤＨＣＰの手順に従ってコンフィグレーション情報の設定を要求する。
【００３９】
ＤＨＰＳサーバ２５は、ＶｏＩＰ通信に限らず、ＴＣＰ／ＩＰネットワークで広く用いられているが、当該ＤＨＣＰサーバ２５が一般的なＴＣＰ／ＩＰネットワークで用いられるＤＨＣＰサーバと異なる点は、コールエージェントのＩＰアドレスが設定されている点である。
【００４０】
例えば、コールエージェント２２に割り当てられたＩＰアドレスがＩ２２である場合、ＶｏＩＰゲートウェイ２６、２７に当該コールエージェント２２を利用させるときには、これらＶｏＩＰゲートウェイ２６、２７にコールエージェント２２のＩＰアドレスＩ２２を設定する。
【００４１】
ここで、利用とは、例えば、ＶｏＩＰゲートウェイ２６、２７が当該コールエージェント２２に呼制御メッセージを中継させること等を指す。また、呼制御メッセージは、ネットワーク２１がＩＰネットワークなので、ＩＰパケットに収容された形で伝送される。
【００４２】
ＶｏＩＰゲートウェイ２６及び２７は、呼制御機能やＶｏＩＰ対応機能を備えたゲートウェイ装置であり、既存のＶｏＩＰゲートウェイを適用できる。
【００４３】
一般電話機２８及び２９は、ユーザＵ１及びＵ２が利用する電話機であり、一般電話機２８はＶｏＩＰゲートウェイ２６に収容され、一般電話機２９はＶｏＩＰゲートウェイ２７に収容される。
【００４４】
第１の実施形態では、一般電話機２８及び２９がＶｏＩＰ対応機能を有しない場合を例示しており、一般電話機２８及び２９は、ＶｏＩＰゲートウェイ２６及び２７に収容されることで、ネットワーク２１に接続し、ＶｏＩＰ通信を実現している。
【００４５】
また、Ｉ２６はＶｏＩＰゲートウェイ２６のＩＰアドレスであり、ＴＮ２６は収容する一般電話機２８の電話番号である。Ｉ２７はＶｏＩＰゲートウェイ２７のＩＰアドレスであり、ＴＮ２７は収容する一般電話機２９の電話番号である。
【００４６】
（Ａ−２）第１の実施形態の動作
次に、第１の実施形態のＶｏＩＰ通信システム２０における加入者情報収容装置の切替処理の動作について図面を参照しながら説明する。
【００４７】
図１及び図３は、第１の実施形態の加入者情報収容装置の切替処理の動作を説明する説明図である。
【００４８】
図１及び図３では、ＶｏＩＰゲートウェイ２６を収容しているコールエージェント２２を、新設するコールエージェント２３に交換する場合を例示して説明する。
【００４９】
コールエージェントの切替前は、ＤＨＣＰサーバ２５が、ＤＨＣＰクライアントとして機能するＶｏＩＰゲートウェイ２６から利用可能なコールエージェントのＩＰアドレスの取得要求を受信すると、コールエージェント２２のＩＰアドレスＩ２２を割り当て、このＩＰアドレスＩ２２をＶｏＩＰゲートウェイ２６に与える。
【００５０】
このとき、ＤＨＣＰサーバ２５においては、ＶｏＩＰゲートウェイ２６に設定するコンフィグレーション情報としてコールエージェント２２のＩＰアドレスを設定するが、ＩＰアドレスの使用期限のリースタイムの設定も行う。
【００５１】
例えば、コールエージェント２２のＩＰアドレスの使用期限のリースタイムは、所定の規定に基づいて設定されるが、例えば２４時間のリースタイムが設定される。そして、このリースタイムの使用期限が終了すると、コールエージェント２２のＩＰアドレスの割り当ても含むコンフィグレーション情報の再設定がなされる。
【００５２】
ＶｏＩＰゲートウェイ２６は、ＤＨＣＰサーバ２５からコールエージェント２２のＩＰアドレスＩ２２を取得し、コールエージェント２２を利用して呼制御などを行う。
【００５３】
つまり、この切替前の状態の場合、呼制御を行うＶｏＩＰゲートウェイ２６は、呼制御メッセージの送信先ＩＰアドレスをＩＰアドレスＩ２２とし、コールエージェント２２宛に送信して呼制御を行う。
【００５４】
コールエージェント２２は、ＶｏＩＰゲートウェイ２６の加入者データを保持しており、ＶｏＩＰゲートウェイ２６からの呼制御メッセージに基づいて呼制御を行う。
【００５５】
その後、コールエージェント２２から新しいコールエージェント２３への切替処理を以下の手順で行う。
【００５６】
まず、フォワーディング装置２４は、コールエージェント２２のＩＰアドレスＩ２２宛に受信したパケットを、コールエージェント２３のＩＰアドレスに転送するよう設定し、切替対象のコールエージェント２２に設定しておく。このとき、フォワーディング装置２４が行う転送先の設定はなされるが、転送処理の実行は行わないようにする。
【００５７】
次に、コールエージェント２２に保持されている全ての加入者情報を、新設するコールエージェント２３に移設（コピー）する（ステップＳ１０）。
【００５８】
加入者情報の移行が全て終了すると、コールエージェント２２をネットワーク２１から切り離し、コールエージェント２２の代わりにフォワーディング装置２４をネットワーク２１に設置する（ステップＳ１１）。
【００５９】
このとき、ＤＨＣＰサーバ２５では、ＶｏＩＰゲートウェイ２６に設定されるコールエージェントのＩＰアドレスはＩ２２と設定されている。
【００６０】
従って、ＤＨＣＰサーバ２５からコールエージェント２２のＩＰアドレスＩ２２を取得したＶｏＩＰゲートウェイ２６は、コールエージェント２２宛の呼制御メッセージを送信する（ステップＳ１２）。
【００６１】
ＶｏＩＰゲートウェイ２６から呼制御メッセージを受信したフォワーディング装置２４は、受信した呼制御メッセージの送信先を新設のコールエージェント２３のＩＰアドレスＩ２３に変換して、呼制御メッセージをコールエージェント２３にフォワーディングする（ステップＳ１３）。
【００６２】
フォワーディング装置２４によりフォワーディングされた呼制御メッセージはコールエージェント２３に与えられ、コールエージェント２３により呼制御メッセージに対する応答メッセージをＶｏＩＰゲートウェイ２６に返信し、呼制御を行う（ステップＳ１４）。
【００６３】
その後、ＤＨＣＰサーバ２５において、図３において、移行対象のＶｏＩＰゲートウェイ２６を収容しているコールエージェント２２のＩＰアドレスの設定変更を行う（ステップＳ１５）。すなわち、ＶｏＩＰゲートウェイ２６に割り当てたコールエージェントのＩＰアドレスをＩ２２からＩ２３に変更する。
【００６４】
ここで、ＤＨＣＰサーバ２５においてコールエージェントのＩＰアドレスの設定変更が行われた後、ＶｏＩＰゲートウェイ２６がＤＨＣＰの手順に従った要求をＤＨＣＰサーバ２５に対して行うと（ステップＳ１６）、コンフィグレーション情報の再設定（コールエージェントのＩＰアドレスの再設定も含む）が行われるので、ＤＨＣＰアクセスを行ったＶｏＩＰゲートウェイ２６は順次、呼制御メッセージを新設のコールエージェント２３に送信するようになり（ステップＳ１７）、呼制御メッセージを受け取った新設のコールエージェント２３は、応答メッセージをＶｏＩＰゲートウェイ２６に返信し呼制御を行う。
【００６５】
このようにして、コールエージェント２２の収容する全てのＶｏＩＰゲートウェイについて、ＤＨＣＰサーバ２５からコンフィグレーション情報の再取得が行われるのを待つ。
【００６６】
移行対象の全てのＶｏＩＰゲートウェイのコンフィグレーション情報の再取得が終了し、全てのＶｏＩＰゲートウェイの呼制御メッセージの送受信がコールエージェント２３のみになると、フォワーディング装置２４をネットワーク２１から切り離す（ステップＳ１８）。
【００６７】
（Ａ−３）第１の実施形態の効果
以上のように、コールエージェントの加入者収容替えを実施する場合、ＤＨＣＰサーバにおけるコンフィグレーション情報のリースタイムに依存した時間の間、呼の発着信ができない時間が発生する可能性があるが、第１の実施形態で説明した手順によれば、フォワーディング装置を用いることにより、ＶｏＩＰゲートウェイ毎に発生するＤＨＣＰ再取得のタイムラグを吸収することができ、発着信不可の時間をなくすることができる。
【００６８】
（Ｂ）第２の実施形態
次に、本発明の端末収容切替システム及び方法の第２の実施形態について、図面を参照しながら詳細に説明する。
【００６９】
第２の実施形態も、ＶｏＩＰ通信システムにおけるコールエージェントを別のコールエージェントに交換する切替システムに、本発明を適用する場合の実施形態を例示する。
【００７０】
（Ｂ−１）第２の実施形態の構成及び動作
第２の実施形態は、コールエージェントの加入者収容替えの処理手順が第１の実施形態と異なる。
【００７１】
第２の実施形態の構成は、新設するコールエージェントが備える、ＵＮＩＸ（登録商標）やＬｉｎｕｘ（登録商標）等に標準装備されているフォワーディング機能を利用する。
【００７２】
そのため、図２に示したフォワーディング装置２４は用いないが、それ以外の構成は第１の実施形態と同じであるので、第２の実施形態でも、図２を参照して説明する。
【００７３】
新設のコールエージェント２３は、第１の実施形態と同様に、呼制御機能を有するコールエージェントである。また、コールエージェント２３は、上述したようにＵＮＩＸ（登録商標）等に標準装備されているフォワーディング機能部２３ａを備えるものである。
【００７４】
フォワーディング機能部２３ａは、第１の実施形態で説明したフォワーディング装置２４と同様に、受信したパケットの送信先アドレスを所定のＩＰアドレスに変換して転送するものである。
【００７５】
図４及び図５は、第２の実施形態の加入者情報収容装置の切替処理の動作を説明する説明図である。
【００７６】
コールエージェント２２の切替前においては、コールエージェント２２は、ＶｏＩＰゲートウェイ２６の加入者情報を保持しており、ＶｏＩＰゲートウェイ２６はコールエージェント２２に収容されている。
【００７７】
また、ＶｏＩＰゲートウェイ２６は、ＤＨＣＰサーバ２５からコールエージェント２２のＩＰアドレスＩ２２を取得し、コールエージェント２２との間で呼制御メッセージの送受信を行い、コールエージェント２２が呼制御を行う。
【００７８】
次に、新しいコールエージェント２３をネットワーク２１に接続して設置する。
【００７９】
このとき、新しいコールエージェント２３を新設する際、コールエージェント２２は、保持しているＶｏＩＰゲートウェイ２６の加入者情報を、新設のコールエージェント２３に移設する（ステップＳ２０）。
【００８０】
また、コールエージェント２３では、フォワーディング機能部２３ａの起動を設定する（ステップＳ２１）。このとき、フォワーディング機能部２３ａについて、コールエージェント２３宛のパケットの送信先アドレスを旧コールエージェント２２のＩＰアドレスＩ２２に変換して転送するように設定する。
【００８１】
その後、ＤＨＣＰサーバ２５において設定されているコールエージェント２２のＩＰアドレスＩ２２を、新設のコールエージェント２３のＩＰアドレスＩ２３に設定変更する（ステップＳ２２）。
【００８２】
ここで、ＤＨＣＰサーバ２５においてコールエージェントのＩＰアドレスの設定変更が行われた後、ＶｏＩＰゲートウェイ２６がＤＨＣＰの手順に従った要求をＤＨＣＰサーバ２５に対して行うと（ステップＳ２３）、コンフィグレーション情報の再設定（コールエージェントのＩＰアドレスの再設定も含む）が行われるので、ＤＨＣＰアクセスを行ったＶｏＩＰゲートウェイ２６は順次、呼制御メッセージを新設のコールエージェント２３に送信するようになる（ステップＳ２４）。
【００８３】
そして、ＶｏＩＰゲートウェイ２６からの呼制御メッセージが、コールエージェント２３に与えられると、コールエージェント２３のフォワーディング機能部２３ａが、受信した呼制御メッセージをコールエージェント２２にフォワードする（ステップＳ２５）。
【００８４】
コールエージェント２２では、コールエージェント２３からフォワーディングされた呼制御メッセージを受信すると、その応答メッセージをＶｏＩＰゲートウェイ２６に返信し、呼制御を行う（ステップＳ２６及びＳ２７）。
【００８５】
このようにして、コールエージェント２２の収容する全てのＶｏＩＰゲートウェイについて、ＤＨＣＰサーバ２５からコンフィグレーション情報の再取得が行われるのを待つ。
【００８６】
そして、移行対象の全てのＶｏＩＰゲートウェイの収容替えが終了し、コールエージェント２２宛の呼制御メッセージがなくなり、全ての呼制御メッセージがコールエージェント２３に与えられるようになると、コールエージェント２３のフォワーディング機能部２３ａの設定を解除し（ステップＳ２８）、コールエージェント２２の切り離しを行う。
【００８７】
また、全ての移行対象ＶｏＩＰゲートウェイ２６は、コールエージェント２３との間で呼制御メッセージの送受信を行う（ステップＳ２９）。
【００８８】
（Ｂ−２）第２の実施形態の効果
以上のように、第２の実施形態によれば、第１の実施形態と同様の効果を奏する。
【００８９】
（Ｃ）第３の実施形態
次に、本発明の端末収容切替システム及び方法の第３の実施形態について、図面を参照しながら詳細に説明する。
【００９０】
第３の実施形態も、ＶｏＩＰ通信システムにおけるコールエージェントを別のコールエージェントに交換する切替システムに、本発明を適用する場合の実施形態を例示する。
【００９１】
（Ｃ−１）第３の実施形態の構成及び動作
第３の実施形態は、コールエージェントの加入者収容替えの処理手順が第１の実施形態と異なる。
【００９２】
第３の実施形態の構成は、旧コールエージェントが備える、ＵＮＩＸ（登録商標）やＬｉｎｕｘ（登録商標）等に標準装備されているフォワーディング機能を利用する。
【００９３】
そのため、図２に示したフォワーディング装置２４は用いないが、それ以外の構成は第１の実施形態と同じであるので、第３の実施形態でも、図２を参照して説明する。
【００９４】
コールエージェント２２は、第１の実施形態と同様に、呼制御機能を有するコールエージェントであり、１又は複数のＶｏＩＰゲートウェイ２６の加入者情報を保持しており、これらＶｏＩＰゲートウェイ２６を収容するものである。また、コールエージェント２３は、上述したようにＵＮＩＸ（登録商標）等に標準装備されているフォワーディング機能部２２ａを備えるものである。
【００９５】
フォワーディング機能部２２ａは、第１の実施形態で説明したフォワーディング装置２４と同様に、受信したパケットの送信先アドレスを所定のＩＰアドレスに変換して転送するものである。
【００９６】
図６及び図７は、第３の実施形態の加入者情報収容装置の切替処理の動作を説明する説明図である。
【００９７】
コールエージェント２２の切替前においては、コールエージェント２２は、ＶｏＩＰゲートウェイ２６の加入者情報を保持しており、ＶｏＩＰゲートウェイ２６はコールエージェント２２に収容されている。
【００９８】
また、ＶｏＩＰゲートウェイ２６は、ＤＨＣＰサーバ２５からコールエージェント２２のＩＰアドレスＩ２２を取得し、コールエージェント２２との間で呼制御メッセージの送受信を行い、コールエージェント２２が呼制御を行う。
【００９９】
次に、新しいコールエージェント２３をネットワーク２１に接続して設置し、コールエージェント２２は、保持しているＶｏＩＰゲートウェイ２６の加入者情報を、新設のコールエージェント２３に移設する（ステップＳ３０）。
【０１００】
コールエージェント２２からコールエージェント２３への加入者情報の移設が終了するまでの間、コールエージェント２２は、フォワーディング機能部２２ａの起動を行わない。
【０１０１】
従って、コールエージェント２２は、ＶｏＩＰゲートウェイ２６から呼制御メッセージを受信すると、その呼制御メッセージの応答メッセージをＶｏＩＰゲートウェイ２６に返信し、呼制御を行う（ステップＳ３１）。
【０１０２】
加入者情報の移設が終了すると、コールエージェント２２は、フォワーディング機能部２２ａの起動を設定する（ステップＳ３２）。このとき、フォワーディング機能部２２ａについて、コールエージェント２２宛のパケットの送信先アドレスを新設のコールエージェント２３のＩＰアドレスＩ２３に変換して転送するように設定する。
【０１０３】
そして、ＶｏＩＰゲートウェイ２６からの呼制御メッセージがコールエージェント２２に与えられると、コールエージェント２２のフォワーディング機能部２２ａが、受信した呼制御メッセージをコールエージェント２３にフォワードする（ステップＳ３３）。
【０１０４】
その後、ＤＨＣＰサーバ２５において設定されているコールエージェント２２のＩＰアドレスＩ２２を、新設のコールエージェント２３のＩＰアドレスＩ２３に設定変更する（ステップＳ３４）。
【０１０５】
ここで、ＤＨＣＰサーバ２５においてコールエージェントのＩＰアドレスの設定変更が行われた後、ＶｏＩＰゲートウェイ２６がＤＨＣＰの手順に従った要求をＤＨＣＰサーバ２５に対して行うと（ステップＳ３５）、コンフィグレーション情報の再設定（コールエージェントのＩＰアドレスの再設定も含む）が行われるので、ＤＨＣＰアクセスを行ったＶｏＩＰゲートウェイ２６は順次、呼制御メッセージを新設のコールエージェント２３に送信するようになる（ステップＳ３６）。
【０１０６】
そして、コールエージェント２２に収容される全てのＶｏＩＰゲートウェイについて、ＤＨＣＰサーバ２５からコンフィグレーション情報の再取得が行われるのを待つ。
【０１０７】
移行対象の全てのＶｏＩＰゲートウェイの収容替えが終了し、コールエージェント２２宛の呼制御メッセージがなくなり、全ての呼制御メッセージがコールエージェント２３に与えるようになると、コールエージェント２２を撤去する（ステップＳ３７）。
【０１０８】
（Ｃ−２）第３の実施形態の効果
以上のように、第３の実施形態によれば、第１の実施形態と同様の効果を得ることができる。
【０１０９】
（Ｄ）第４の実施形態
次に、本発明の端末収容切替システム及び方法の第４の実施形態について、図面を参照しながら詳細に説明する。
【０１１０】
第４の実施形態も、ＶｏＩＰ通信システムにおけるコールエージェントを別のコールエージェントに交換する切替システムに、本発明を適用する場合の実施形態を例示する。
【０１１１】
第４の実施形態は、複数のコールエージェントが保持する加入者情報を、１台のコールエージェントに移設する場合を示す実施形態である。
【０１１２】
第４の実施形態では、複数のコールエージェントの加入者情報を、新設する１台のコールエージェントに統合するが、そのコールエージェントの加入者収容替えの処理としては、第１〜第３の実施形態で説明した切替処理を適用できる。
【０１１３】
図８は、第４の実施形態のコールエージェントの加入者収容替えの処理を説明する説明図である。なお、図８に示す構成要素及び符号は、説明便宜上、図２に示す第１の実施形態で説明した構成要素及び符号に対応するものを示す。
【０１１４】
図８では、２台のコールエージェント２２−１及び２２−２が保持している加入者情報を、新設する１台のコールエージェント２３に移設する場合を示す。
【０１１５】
また、図８では、第３の実施形態で説明したコールエージェントの加入者収容替えの処理を適用する場合を例示する。コールエージェント２２−１及びコールエージェント２２−２の加入者収容替えの手順については、第３の実施形態で詳細に説明したので省略する。
【０１１６】
コールエージェント２２−１及び２２−２のそれぞれの加入者収容替えの処理は、同時に行う必要はなく、それぞれの開始タイミングで別々に行うことができる。また、各コールエージェントの加入者収容替え処理を同時に並列的に行うようにしてもよい。
【０１１７】
また、コールエージェント２３については、新設するものではなく、ネットワーク上に既設されているものとしてもよい。つまり、新しいコールエージェントである必要はなく、加入者情報を収容できる既設のコールエージェントを適用することができる。
【０１１８】
以上のように、第４の実施形態によれば、第１〜第３の実施形態の効果に加えて、複数のコールエージェントが保持する加入者情報を１台のコールエージェントに統合することができる。
【０１１９】
（Ｅ）第５の実施形態
次に、本発明の端末収容切替システム及び方法の第５の実施形態について、図面を参照しながら詳細に説明する。
【０１２０】
第５の実施形態も、ＶｏＩＰ通信システムにおけるコールエージェントを別のコールエージェントに交換する切替システムに、本発明を適用する場合の実施形態を例示する。
【０１２１】
第５の実施形態は、１台のコールエージェントが保持する加入者情報を、複数のコールエージェントに移設する場合を示す実施形態である。
【０１２２】
第５の実施形態では、１台のコールエージェントの加入者情報を、複数のコールエージェントに分割するが、そのコールエージェントの加入者収容替えの処理としては、第１〜第３の実施形態で説明した切替処理を適用できる。
【０１２３】
図９及び図１０は、第５の実施形態のコールエージェントの加入者収容替えの処理を説明する説明図である。なお、図９及び図１０に示す構成要素及び符号は、説明便宜上、図２に示す第１の実施形態で説明した構成要素及び符号に対応するものを示す。
【０１２４】
図９及び図１０では、コールエージェント２２が保持している加入者情報を、２台のコールエージェント２３−１及び２３−２に分割する場合を示す。
【０１２５】
また、図９及び図１０では、第２の実施形態で説明したコールエージェントの加入者収容替え処理を適用する場合を示す。
【０１２６】
ここで、コールエージェントの加入者情報を分割して収容する方法としては、ＤＨＣＰサーバ２５−１及び２５−２において、ＶｏＩＰゲートウェイ２６−１及び２６−２のそれぞれに対して割り当てる、新しいコールエージェント２３（２３−１及び２３−２）のＩＰアドレスの設定の仕方により分割させることができる。
【０１２７】
つまり、ＶｏＩＰゲートウェイ２６−１については、ＤＨＣＰサーバ２５−１において、コールエージェント２２のＩＰアドレスＩ２２を、移設先のコールエージェント２３−１のＩＰアドレスＩ２３−１に変更することで実現できる。
【０１２８】
以上のように、第５の実施形態によれば、第１〜第３の実施形態の効果に加えて、あるコールエージェントが保持する加入者情報を分割して、複数のコールエージェントに収容させることができる。
【０１２９】
（Ｆ）他の実施形態
第１〜第５の実施形態で説明した手順を行うことにより、保守期間満了に伴うＣＡサーバのリプレイス（新規システムヘの移行も含む）にも適用することも可能である。
【０１３０】
第１〜第５の実施形態では、ＶｏＩＰ通信システム中に存在するＤＨＣＰサーバの数を１台とした場合を例示したが、複数のＤＨＣＰサーバが存在する構成であってもよい。また、ルータ経由で各ＶｏＩＰゲートウェイがＤＨＣＰサーバと通信する必要がある場合には、例えば、ＤＨＣＰリレーエージェントなどの機能を利用するようにしてもよい。
【０１３１】
第１〜第５の実施形態では、ＶｏＩＰゲートウェイに接続する一般電話機の構成を例示したが、これらの構成要素を備えたＶｏＩＰ対応機能を備えたＩＰ電話機としてもよい。
【０１３２】
以上の説明において説明したシステムの各構成要素の機能は、ソフトウェア処理により実現されるものである。例えば、各サーバのＣＰＵが、ＲＯＭに格納された処理プログラム及び処理に必要なデータを用いて処理プログラムを実行することにより、上述した各機能を実現することができる。
【図面の簡単な説明】
【０１３３】
【図１】第１の実施形態のコールエージェントの加入者収容替えの処理を説明する説明図である。
【図２】本発明のＶｏＩＰ通信システムの主な構成を示す全体構成図である。
【図３】第１の実施形態のコールエージェントの加入者収容替えの処理を説明する説明図である。
【図４】第２の実施形態のコールエージェントの加入者収容替えの処理を説明する説明図である。
【図５】第２の実施形態のコールエージェントの加入者収容替えの処理を説明する説明図である。
【図６】第３の実施形態のコールエージェントの加入者収容替えの処理を説明する説明図である。
【図７】第３の実施形態のコールエージェントの加入者収容替えの処理を説明する説明図である。
【図８】第４の実施形態のコールエージェントの加入者収容替えの処理を説明する説明図である。
【図９】第５の実施形態のコールエージェントの加入者収容替えの処理を説明する説明図である。
【図１０】第５の実施形態のコールエージェントの加入者収容替えの処理を説明する説明図である。
【図１１】従来のコールエージェントの加入者収容替えの処理を説明する説明図である。
【図１２】従来のコールエージェントの加入者収容替えの処理を説明する説明図である。
【符号の説明】
【０１３４】
２０…ＶｏＩＰ通信システム、２１…ネットワーク、
２２、２２−１及び２２−２…コールエージェント（旧）、２２ａ、２２ａ−１及び２２ａ−２…フォワーディング機能部、
２３、２３−１及び２３−１…コールエージェント（新）、２３ａ、２３ａ−１及び２３ａ−２…フォワーディング機能部、
２４…フォワーディング装置、２５…ＤＨＣＰサーバ、２６及び２７…ＶｏＩＰゲートウェイ、２８及び２９…一般電話機。
【図１】
2010041088.tif 000003
【図２】
2010041088.tif 000004
【図３】
2010041088.tif 000005
【図４】
2010041088.tif 000006
【図５】
2010041088.tif 000007
【図６】
2010041088.tif 000008
【図７】
2010041088.tif 000009
【図８】
2010041088.tif 000010
【図９】
2010041088.tif 000011
【図１０】
2010041088.tif 000012
【図１１】
2010041088.tif 000013
【図１２】
2010041088.tif 000014